(57)【要約】【課題】車両走行時における車軸の回転変動を抑制し、ひいてはドライバビリティを良好に保つ。【解決手段】車両１０のフロント側には動力源としてのエンジン１４が設けられ、リア側には動力源としての電動発電機３２が設けられている。車両のリア側において、デフ連結軸３４には、電動発電機３２と空調用のコンプレッサ３３とが動力分配装置３１を介して機械的に連結されている。車輪連結軸とコンプレッサ連結軸との間にはこれらを連結又は遮断の状態に切り替える直結クラッチが設けられている。ハイブリッドＥＣＵ５２は、車両走行時においてコンプレッサ３３の作動状態の変化、又は直結クラッチの連結／遮断の状態の変化に基づいて電動発電機３２の駆動又は発電の状態を制御する。【選択図】      図１
2006327315.tif 000002
【特許請求の範囲】
【請求項１】
車両の前後車輪の一方に設けられ、動力源としての内燃機関、及び該内燃機関の出力軸の回転により発電する発電機を有する第１の動力発生手段と、
前記前後車輪の他方に設けられ、動力源としての電動発電機、補機装置、動力分配装置、及び前記電動発電機に電気的に接続され直交電力変換を行う電力変換手段を有する第２の動力発生手段と、
前記発電機及び前記電動発電機により発生した電力を蓄電する蓄電手段と、を備え、
前記第２の動力発生手段を設けた車輪側において車輪回転を伝達する車輪連結軸に、前記した電動発電機と補機装置とを動力分配装置を介して機械的に連結するとともに、車輪連結軸、電動発電機軸及び補機装置軸のうちいずれか２つを連結又は遮断の状態に切り替える切替手段を設けた車両に適用され、
車両走行時において前記補機装置の作動状態の変化、又は前記切替手段の連結／遮断の状態の変化に基づいて前記電動発電機の駆動又は発電の状態を制御する制御手段を備えたことを特徴とする車両の駆動制御装置。
【請求項２】
動力源としての電動発電機、補機装置、動力分配装置、及び前記電動発電機に電気的に接続され直交電力変換を行う電力変換手段を有する動力発生手段と、
前記電動発電機により発生した電力を蓄電する蓄電手段と、を備え、
車輪回転を伝達する車輪連結軸に、前記した電動発電機と補機装置とを動力分配装置を介して機械的に連結するとともに、車輪連結軸、電動発電機軸及び補機装置軸のうちいずれか２つを連結又は遮断の状態に切り替える切替手段を設けた車両に適用され、
車両走行時において前記補機装置の作動状態の変化、又は前記切替手段の連結／遮断の状態の変化に基づいて前記電動発電機の駆動又は発電の状態を制御する制御手段を備えたことを特徴とする車両の駆動制御装置。
【請求項３】
前記制御手段は、前記補機装置又は前記切替手段の状態変化時における補機装置軸の回転変化の方向に合わせて前記電動発電機の駆動又は発電の状態を制御することを特徴とする請求項１又は２に記載の車両の駆動制御装置。
【請求項４】
前記制御手段は、車両走行時において前記補機装置が非作動状態から作動状態に変化した時、又は前記切替手段が遮断状態から連結状態に変化した時、前記電動発電機を駆動側に制御し、逆に前記補機装置が作動状態から非作動状態に変化した時、又は前記切替手段が連結状態から遮断状態に変化した時、前記電動発電機を発電側に制御することを特徴とする請求項１又は２に記載の車両の駆動制御装置。
【請求項５】
前記制御手段は、前記補機装置又は前記切替手段の状態変化に際しその変化前における前記電動発電機の実動力を算出する手段と、同変化後における前記電動発電機の目標動力を算出する手段と、前記算出した実動力と目標動力とから前記電動発電機を制御するための制御指令値を算出する手段とを有することを特徴とする請求項１乃至４のいずれかに記載の車両の駆動制御装置。
【請求項６】
前記補機装置として空調用のコンプレッサを備え、
都度のコンプレッサ回転速度とコンプレッサ特性とに基づいてコンプレッサ動力を算出するとともに、該コンプレッサ動力に基づいて前記電動発電機の目標動力を算出することを特徴とする請求項５に記載の車両の駆動制御装置。
【請求項７】
車輪連結軸と補機装置軸とを連結又は遮断の状態に切り替えるようにして前記切替手段を設け、該切替手段を、車両の走行停止中に遮断状態とし、他では要求に応じて連結状態とすることを特徴とする請求項１乃至６のいずれかに記載の車両の駆動制御装置。
【請求項８】
前記動力分配装置として、遊星ギア装置を用いたことを特徴とする請求項１乃至７のいずれかに記載の車両の駆動制御装置。
【請求項９】
前記遊星ギア装置を構成するリングギア、サンギア、キャリアにそれぞれ組み合わせて車輪連結軸、電動発電機軸、補機装置軸を接続したことを特徴とする請求項８に記載の車両制御装置。
【発明の詳細な説明】
【技術分野】
【０００１】
本発明は、車両の駆動制御装置に関するものである。
【背景技術】
【０００２】
動力源として電動機（モータ）を備えた車両が実用化されている。例えば特許文献１の車両では、遊星ギア装置からなる動力分配装置を備え、該動力分配装置の第１軸、第２軸及び第３軸にそれぞれエンジン、電動発電機、空調用のコンプレッサを連結するとともに、第２軸（電動発電機軸）と第３軸（コンプレッサ軸）とをクラッチ機構により離合させる構成としている。これにより、空調用のコンプレッサがエンジン及び電動発電機のいずれかによって駆動されるようになっていた。
【０００３】
また一方で、エンジンに独立して電動発電機を設け、動力分配装置（遊星ギア装置）の３つの軸にそれぞれ車軸、電動発電機、空調用のコンプレッサを連結する構成が検討されている。かかる構成によれば、車両走行時に車軸から入力される動力によってコンプレッサの駆動や電動発電機の回生発電が可能となる他、電動発電機を動力源として車軸を回転させたり、電動発電機によってコンプレッサを駆動させたりすることが可能となる。
【０００４】
しかしながら、上記のように動力分配装置（遊星ギア装置）の３つの軸にそれぞれ車軸、電動発電機、空調用のコンプレッサを連結する構成では、コンプレッサの駆動状態を切り替える場合（実際には、コンプレッサに設けたクラッチ機構のＯＮ／ＯＦＦを切り替える場合）などにおいて、その都度の各軸の回転エネルギ差によって車軸の回転速度が変動する。それに伴い車体に振動が生じ、ドライバビリティが悪化するおそれがあった。
【特許文献１】特開２００３−２０４５号公報
【発明の開示】
【発明が解決しようとする課題】
【０００５】
本発明は、車両走行時における車軸の回転変動を抑制し、ひいてはドライバビリティを良好に保つことができる車両の駆動制御装置を提供することを主たる目的とするものである。
【課題を解決するための手段】
【０００６】
本発明において、車両は、前後車輪の一方に設けられた内燃機関と、他方の車輪に設けられた電動発電機とを動力源として走行する。その車両走行の際、第１の動力発生手段の発電機、及び第２の動力発生手段の電動発電機により発生した電力が蓄電手段に蓄電される。
【０００７】
第２の動力発生手段を設けた車輪側において車輪回転を伝達する車輪連結軸（ディファレンシャルギアが設けられる車両ではディファレンシャル連結軸）には、電動発電機と補機装置（例えば、空調用のコンプレッサ）とが動力分配装置を介して機械的に連結されており、さらに動力伝達クラッチ等の切替手段によって、車輪連結軸、電動発電機軸及び補機装置軸のうちいずれか２つが連結又は遮断の状態に切り替えられる。かかる構成によれば、内燃機関による車両走行時には、車輪連結軸から伝達される動力により電動発電機と補機装置が作動し、要求に応じて車室内の空調等が行われる。そして、車両の減速時等になると車輪連結軸からの動力により電動発電機で回生発電が行われる。このとき、車輪連結軸からの動力がトランスミッションを介することなく電動発電機に伝達されるため、回生エネルギを効率良く回収できる。また、車両の走行停止時等には、電動発電機の動力により補機装置が駆動されて空調等が行われる。
【０００８】
上記のとおり車輪連結軸、電動発電機軸及び補機装置軸の３軸が動力分配装置によって連結された構成では、車両走行時において補機装置の作動状態の変化や切替手段の連結／遮断の状態の変化が生じると、それに起因して車軸（車輪連結軸）の回転変動が生じ、結果として車体に振動等が発生する。この点、本発明では、車両走行時において補機装置の作動状態の変化、又は切替手段の連結／遮断の状態の変化に基づいて電動発電機の駆動又は発電の状態を制御するようにしている。すなわち、車輪連結軸、電動発電機軸及び補機装置軸の３軸の回転速度はそれぞれ相関した関係にあり、電動発電機の駆動又は発電の状態を制御することにより、車軸（車輪連結軸）の回転を一定に保持することが可能となる。故に、車両走行時における車軸の回転変動を抑制し、ひいてはドライバビリティを良好に保つことができる。
【０００９】
本発明が適用可能な車両としては、少なくとも、電動発電機、補機装置、動力分配装置及び電力変換手段を有する動力発生手段と、蓄電手段と、切替手段とを備えたものであれば良い。かかる場合にも、車両走行時において補機装置の作動状態の変化、又は切替手段の連結／遮断の状態の変化に基づいて電動発電機の駆動又は発電の状態を制御することで、車軸（車輪連結軸）の回転を一定に保持することが可能となる。故に、車両走行時における車軸の回転変動を抑制し、ひいてはドライバビリティを良好に保つことができる。
【００１０】
補機装置又は切替手段の状態変化時における車軸回転速度の変動を有効に抑制するには、補機装置又は切替手段の状態変化時における補機装置軸の回転変化の方向に合わせて電動発電機の駆動又は発電の状態を制御すると良い。これにより、車軸回転速度を一定に保持することが可能となる。
【００１１】
電動発電機を制御する制御手段として、より具体的には、車両走行時において補機装置が非作動状態から作動状態に変化した時、又は切替手段が遮断状態から連結状態に変化した時、電動発電機を駆動側に制御し、逆に補機装置が作動状態から非作動状態に変化した時、又は切替手段が連結状態から遮断状態に変化した時、電動発電機を発電側に制御すると良い。
【００１２】
つまり、補機装置が非作動状態から作動状態に変化した時、又は切替手段が遮断状態から連結状態に変化した時は、車軸回転速度が減少側に変動しそうになるが、電動発電機を駆動側に制御することにより、車軸回転速度の減少が抑制できる。また、補機装置が作動状態から非作動状態に変化した時、又は切替手段が連結状態から遮断状態に変化した時は、車軸の回転速度が増加側に変動しそうになるが、電動発電機を発電側に制御することにより、車軸回転速度の増加が抑制できる。
【００１３】
ただし、車両走行時において、補機装置軸の回転速度が車軸回転速度よりも大きい場合に切替手段が遮断状態から連結状態に変化した時は、電動発電機を発電側に制御すると良い。また、切替手段が連結状態から遮断状態に変化し、それに伴い補機装置軸の回転速度が車軸回転速度よりも大きくなる場合に、電動発電機を駆動側に制御すると良い。
【００１４】
補機装置又は切替手段の状態変化時には、電動発電機を制御するための制御指令値を以下のように算出すると良い。すなわち、補機装置又は切替手段の状態変化に際しその変化前における電動発電機の実動力を算出するとともに、同変化後における電動発電機の目標動力を算出する。そして、該算出した実動力と目標動力とから電動発電機の制御指令値を算出する。例えば、実動力と目標動力との偏差に基づいて電動発電機の制御指令値を算出する。
【００１５】
このとき、補機装置として空調用のコンプレッサを備えた構成では、都度のコンプレッサ回転速度とコンプレッサ特性とに基づいてコンプレッサ動力を算出するとともに、該コンプレッサ動力に基づいて電動発電機の目標動力を算出すると良い。
【００１６】
前記切替手段を、車輪連結軸と補機装置軸とを連結又は遮断の状態に切り替えるものとし、車両の走行停止中に遮断状態とし、他では要求に応じて連結状態とすると良い。これにより、停車時は電動発電機から補機装置への動力伝達が確実に実現できる。また、車両発進時に、電動発電機から車輪連結軸と補機装置への動力伝達を確実に実施すべく切替手段を連結状態としたり、車両走行時に、車軸の回転状態に応じて、切替手段を遮断状態として電動発電機にて補機装置を作動させるか、同切替手段を連結状態として車輪連結軸から補機装置へ動力伝達するかを選択的に実施したりしても良い。
【００１７】
ここで、動力分配装置として遊星ギア装置を用い、遊星ギア装置により車輪連結軸と電動発電機と補機装置とを機械的に連結することで、これら各要素間の動力分配が簡易に実現できる。故に、システム構成の簡潔化を図ることができる。この場合、車軸の回転を一定に保持するような電動発電機の制御が適正に実施できる。
【００１８】
動力分配装置として遊星ギア装置を用いる場合、リングギア、サンギア、キャリアにそれぞれ組み合わせて車輪連結軸、電動発電機軸、補機装置軸を接続すると良い。但し、接続の組み合わせは任意である。
【発明を実施するための最良の形態】
【００１９】
（第１の実施の形態）
以下、本発明を具体化した第１の実施の形態を図面に従って説明する。本実施の形態は、エンジンと電動発電機とを動力源としそれらいずれかの動力により走行する、いわゆるハイブリッド自動車に具体化する事例を説明する。図１は、本実施の形態における車両システムの概略構成を示す図面である。なお図１では、左側が車両前方であり、右側が車両後方である。
【００２０】
図１において、車両１０はその前後に２つの動力発生手段を具備しており、前輪側には第１の動力発生手段としての主動力ブロックＤ１が搭載され、後輪側には第２の動力発生手段としての副動力ブロックＤ２が搭載されている。車両１０は、これら２つの動力ブロックＤ１，Ｄ２にて発生する動力により走行する。
【００２１】
すなわち、車両１０のフロント部分には、主駆動輪として左右２つの前輪１１，１２が設けられ、それらの前輪１１，１２に結合された車軸１３に主動力ブロックＤ１が連結されている。主動力ブロックＤ１は、ガソリンや軽油等の燃料の燃焼により動力を発生する主動力源としてのエンジン１４と、ＡＴ（自動変速機）等よりなるトランスミッション１５とを備えており、エンジン１４の出力はトランスミッション１５を介して車軸１３に伝達され、その結果左右の前輪１１，１２が回転する。エンジン１４の出力軸にはベルト等の連結手段１６を介して発電機としてのオルタネータ１７が接続されている。
【００２２】
車両１０のリア部分には、副駆動輪として左右２つの後輪２１，２２が設けられ、それら各後輪２１，２２に連結された車軸２３，２４の間にディファレンシャルギア２５が設けられている。そして、このディファレンシャルギア２５に駆動軸３４を介して副動力ブロックＤ２が連結されている。副動力ブロックＤ２は、遊星ギア装置により構成される動力分配装置３１と、副動力源としての電動発電機３２と、補機装置としてのエアコン用コンプレッサ３３（以下、単にコンプレッサともいう）とを備えている。電動発電機３２は駆動軸３５を介して動力分配装置３１に連結され、コンプレッサ３３は駆動軸３６を介して動力分配装置３１に連結されている。電動発電機３２は、例えば交流同期型のモータジェネレータにより構成され、電力の供給により駆動される電動機としての機能（力行機能）と、機械エネルギを電気エネルギに変換する発電機としての機能（回生機能）とを兼ね備えている。電動発電機３２には、インバータ等よりなる電力変換ユニット３８が接続されている。電力変換ユニット３８は電力変換手段に相当し、これにより電力の直流−交流変換が行われる。
【００２３】
なお、動力分配装置（遊星ギア装置）３１に連結される３つの駆動軸３４〜３６について、以下の説明では便宜上、駆動軸３４を「デフ連結軸３４」、駆動軸３５を「ＭＧ連結軸３５」、駆動軸３６を「コンプレッサ連結軸３６」とも言うこととする。
【００２４】
電源系の構成としては、定格１２Ｖのバッテリ４１と、降圧回路や昇圧回路を構成するＤＣ−ＤＣコンバータ４２と、主動力ブロックＤ１のオルタネータ１７並びに副動力ブロックＤ２の電力変換ユニット３８に接続された蓄電手段としての高電圧バッテリ４３とを備える。
【００２５】
また、本システムは、各種の電子制御ユニット（ＥＣＵ）を備えており、各ＥＣＵは図示しない各種センサ等の検出値に基づいてアクチュエータ等の駆動を制御する。具体的には、エンジンＥＣＵ５１は、エンジン制御手段を構成するものであり、都度のエンジン運転状態等に基づいて燃料噴射制御や点火時期制御といったエンジン制御を実施する。ハイブリッドＥＣＵ５２は、車両１０の全体を統括的に制御する車両制御手段を構成するものであり、電力変換ユニット３８（インバータ）に対して制御信号を出力することで電動発電機３２の駆動又は発電の状態等を制御する。エアコンＥＣＵ５３は、空調制御手段を構成するものであり、ドライバの要求や車両の走行状態等に基づいてコンプレッサ３３を駆動して空調制御を実施する。これら各ＥＣＵ５１〜５３は、いずれもＣＰＵ、ＲＯＭ、ＲＡＭ等よりなる周知のマイクロコンピュータを中心に構成されるものであり、各ＥＣＵ間で相互に制御データ等の送受信が可能となっている。
【００２６】
本システムには、車両の停止時にエンジン１４の運転を自動停止させる、いわゆるアイドルストップ機能が設けられており、エンジンＥＣＵ５１は、車速が０であること、アイドル状態であること等の所定のアイドルストップ条件の成立時において燃料噴射や点火を停止してエンジン１４の運転を停止する。
【００２７】
副動力ブロックＤ２の詳細な構成を図２の模式図を基に説明する。図２において、動力分配装置（遊星ギア装置）３１は、互いに同じ軸心回りに回転するサンギア６１及びリングギア６２と、これらサンギア６１及びリングギア６２にかみ合って公転しながら自転するピニオンギア６３を有するキャリア６４とを具備している。そして、サンギア６１にデフ連結軸３４が接続され、リングギア６２にコンプレッサ連結軸３６が接続され、キャリア６４にＭＧ連結軸３５が接続されている。
【００２８】
デフ連結軸３４とコンプレッサ連結軸３６との間には切替手段としての直結クラッチ６５が設けられている。直結クラッチ６５は、例えばＯＮ／ＯＦＦ切替式のクラッチであり、ハイブリッドＥＣＵ５２からの指令に基づいてＯＮ／ＯＦＦ（継合又は非継合）が切り替えられる。ただし、切替手段として、ワンウェイクラッチや遠心クラッチ等、他の動力伝達クラッチを用いることも可能である。
【００２９】
直結クラッチ６５がＯＮ（継合）される場合、デフ連結軸３４からの動力はコンプレッサ連結軸３６を介してコンプレッサ３３に伝達される。その際、動力分配装置３１の３軸（デフ連結軸３４、ＭＧ連結軸３５及びコンプレッサ連結軸３６）は共に同速回転する。これに対し、直結クラッチ６５がＯＦＦ（継合遮断）される場合、デフ連結軸３４とコンプレッサ連結軸３６とは分断された状態となり、動力分配装置３１の３軸は遊星ギアの共線特性に基づく回転速度でそれぞれ回転する。
【００３０】
コンプレッサ連結軸３６には、エアコンスイッチ（図示略）の状態等に応じてＯＮ／ＯＦＦされるコンプレッサクラッチ６６が設けられている。このコンプレッサクラッチ６６は現実にはコンプレッサ３３と一体に設けられ、エアコンＥＣＵ５３からコンプレッサ３３に出力される指令に基づいてコンプレッサクラッチ６６がＯＮ／ＯＦＦされる。
【００３１】
また、コンプレッサ３３には、コンプレッサ回転速度を検出するための回転速度センサ６８が設けられており、該回転速度センサ６８の検出信号はエアコンＥＣＵ５３に逐次入力される。
【００３２】
上記構成の車両システムでは、車両走行時においてデフ連結軸３４から入力される動力により電動発電機３２とコンプレッサ３３が作動する。これにより、エアコン等の稼働が可能となる。そして、車両の減速時等には、デフ連結軸３４からの動力により電動発電機３２で回生発電が行われ、電力変換ユニット３８を通じてバッテリ充電が行われる。また、車両の走行停止時等には、電動発電機３２の動力によりコンプレッサ３３の作動が可能となる。また更に、電動発電機３２で発生した動力が動力分配装置３１を介してディファレンシャルギア２５に伝達され、更に左右の後輪２１，２２に伝達されることで、電動発電機３２の動力のみによる車両走行、又はエンジン１４の動力と協働した車両走行が可能となる。
【００３３】
本車両１０では、上記構成によって、エンジン１４又は電動発電機３２のいずれかの発生動力により走行する二輪駆動走行（２ＷＤ走行）と、エンジン１４及び電動発電機３２の両方の発生動力により走行する四輪駆動走行（４ＷＤ走行）とが可能となっている。
【００３４】
車両１０における各種状況下における作動状態を説明する。図３は、車両１０の駆動モードの一覧を示す図である。なお、図３中、２ＷＤ（ＥＧ）の表記はエンジン動力による２ＷＤ走行を意味し、２ＷＤ（ＥＶ）の表記は電動発電機動力による２ＷＤ走行を意味する。
【００３５】
図３に示すように、車両１０の駆動モードは、（ａ）停止モード、（ｂ）発進モード、（ｃ）加速・定常・減速モード、（ｄ）後退モードに大別され、さらにその各モードには複数のモードが設定されている。この場合、空調要求や２ＷＤ／４ＷＤ要求等に応じて直結クラッチ６５（切替手段）がＯＮ又はＯＦＦされるとともに、電動発電機３２が駆動又は回生の状態で制御される。なお、ドライバの加速要求、電源条件、空調条件等によっては、空調要求や２ＷＤ／４ＷＤ要求が同一であっても直結クラッチ６５のＯＮ／ＯＦＦ状態や電動発電機３２の駆動／回生の状態が適宜変更されるようになっている（図の※１）。
【００３６】
上記駆動モードの処理の一例を説明する。例えば、発進モードで空調要求有り、かつ２ＷＤ（ＥＧ）の要求有りとされる場合を考える。かかる場合、空調要求がなされた初期は、直結クラッチ６５がＯＦＦされるとともに電動発電機３２が駆動状態とされる。これにより、電動発電機３２の動力によりコンプレッサ３３の回転速度が上昇し、その際冷房能力が最大限に発揮される。またその後、コンプレッサ回転速度が要求回転速度に達すると、直結クラッチ６５がＯＮされるとともに電動発電機３２の駆動が停止される。これにより、動力分配装置３１の３軸が共に同速回転する状態となり、エンジン駆動に伴うデフ連結軸３４の回転によってコンプレッサ３３の回転が継続される。
【００３７】
車両の減速時や制動時には、電動発電機３２において制動エネルギが回生され、電力変換ユニット３８を介して高電圧バッテリ４３が充電される。このとき、ディファレンシャルギア２５からの動力はトランスミッションを介することなく電動発電機３２に伝達されるため、回生エネルギを効率良く回収できる。
【００３８】
ところで、車両１０の駆動モードは、ドライバの要求や都度の車両運転状態等に応じて随時遷移し、そのモード遷移時にコンプレッサ３３（コンプレッサクラッチ６６）のＯＮ／ＯＦＦ切替や切替手段としての直結クラッチ６５のＯＮ／ＯＦＦ切替が行われる。この場合、モード遷移に伴い車軸回転に変動が生じ、それに起因してドライバビリティの悪化を招くことが懸念される。そこで本実施の形態では、モード遷移時にも車軸回転を安定状態とすべく、都度のモード遷移に応じて電動発電機３２の駆動又は発電の状態を制御することとする。
【００３９】
ここでは、図３の加速・定常・減速モードにおいて、
・コンプレッサＯＦＦ＆切替手段ＯＦＦのモードを「第１モード」、
・コンプレッサＯＮ＆切替手段ＯＦＦのモードを「第２モード」、
・コンプレッサＯＦＦ＆切替手段ＯＮのモードを「第３モード」、
・コンプレッサＯＮ＆切替手段ＯＮのモードを「第４モード」、
とし、これら第１〜第４のモード間におけるモード遷移について順に説明する。図４〜図９は、各モード間の推移を説明するための共線図であり、各共線図には、車両走行状態にいて、サンギア６１に連結されたデフ連結軸３４の回転速度（以下、車軸回転速度という）と、キャリア６４に連結されたＭＧ連結軸３５の回転速度（以下、ＭＧ軸回転速度という）と、リングギア６２に連結されたコンプレッサ連結軸３６の回転速度（以下、コンプレッサ軸回転速度という）の関係を示す。なお図中、ρは遊星ギア装置のプラネタリ比（プラネタリギア比）である。
【００４０】
（１）第１モード⇔第２モード間のモード遷移
図４には、第１モードから第２モードへの遷移を（ａ），（ｂ）に示し、その逆の第２モードから第１モードへの遷移を（ｃ），（ｄ）に示す。図４の（ａ）に示すように、第１モードでは、車両走行に伴い車軸が回転しており、コンプレッサ軸回転速度＜ＭＧ軸回転速度＜車軸回転速度の関係となっている。このとき、コンプレッサ軸回転速度とＭＧ軸回転速度とは遊星ギアのプラネタリ比と各軸のイナーシャ及び負荷に応じて決定される。この状態から図４の（ｂ）に示す第２モードに移行すると、コンプレッサＯＮ（コンプレッサ駆動）によってコンプレッサ連結軸３６に負荷がかかり、コンプレッサ軸回転速度が低下して車軸回転速度が変動するおそれが生じるが、コンプレッサ軸回転速度の低下をキャンセルするようにして電動発電機３２が駆動側に制御される。これにより、車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００４１】
逆に第２モード→第１モードの遷移時には、図４の（ｃ），（ｄ）に示すように、コンプレッサ３３がＯＮからＯＦＦに切り替えられることでコンプレッサ連結軸３６にかかる負荷がなくなり、コンプレッサ軸回転速度が上昇して車軸回転速度が変動するおそれが生じるが、コンプレッサ軸回転速度の上昇をキャンセルするようにして電動発電機３２が発電側に制御される。これにより、車軸回転速度が一定に保持される。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
（２）第１モード⇔第３モード間のモード遷移
図５には、第１モードから第３モードへの遷移を（ａ），（ｂ）に示し、その逆の第３モードから第１モードへの遷移を（ｃ），（ｄ）に示す。図５の（ａ）に示す第１モードは、前記図４の（ａ）と同様であり、この状態から図５の（ｂ）に示す第３モードに移行すると、切替手段としての直結クラッチ６５がＯＮ（継合）されることに伴い動力分配装置（遊星ギア装置）３１の３軸が同速回転となる。それにより、車軸回転速度が変動するおそれが生じるが、電動発電機３２が駆動側に制御されることで車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００４２】
逆に第３モード→第１モードの遷移時には、図５の（ｃ），（ｄ）に示すように、切替手段としての直結クラッチ６５がＯＦＦ（継合遮断）されることで、コンプレッサ軸回転速度＜ＭＧ軸回転速度＜車軸回転速度の関係となる。それにより、車軸回転速度が変動するおそれが生じるが、電動発電機３２が発電側に制御されることで車軸回転速度が一定に保持される。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００４３】
（３）第１モード⇔第４モード間のモード遷移
図６には、第１モードから第４モードへの遷移を（ａ），（ｂ）に示し、その逆の第４モードから第１モードへの遷移を（ｃ），（ｄ）に示す。図６の（ａ）に示す第１モードは、前記図４の（ａ）と同様であり、この状態から図６の（ｂ）に示す第４モードに移行すると、動力分配装置（遊星ギア装置）３１の３軸が同速回転となるとともに、コンプレッサＯＮによってコンプレッサ連結軸３６に負荷がかかる。それにより、車軸回転速度が変動するおそれが生じるが、電動発電機３２が駆動側に制御されることで車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００４４】
逆に第４モード→第１モードの遷移時には、図６の（ｃ），（ｄ）に示すように、切替手段としての直結クラッチ６５がＯＦＦ（継合遮断）されるとともに、コンプレッサＯＦＦとされることで、コンプレッサ軸回転速度＜ＭＧ軸回転速度＜車軸回転速度の関係となる。それにより、車軸回転速度が変動するおそれが生じるが、電動発電機３２が発電側に制御されることで車軸回転速度が一定に保持される。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００４５】
（４）第２モード⇔第３モード間のモード遷移
図７には、第２モードから第３モードへの遷移を（ａ），（ｂ）に示し、その逆の第３モードから第２モードへの遷移を（ｃ），（ｄ）に示す。図７の（ａ）に示す第２モードでは、コンプレッサ軸回転速度＜ＭＧ軸回転速度＜車軸回転速度の関係となっている。この状態から図７の（ｂ）に示す第３モードに移行すると、動力分配装置（遊星ギア装置）３１の３軸が同速回転となる。それにより、車軸回転速度が変動するおそれが生じるが、電動発電機３２が駆動側に制御されることで車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００４６】
逆に第３モード→第２モードの遷移時には、図７の（ｃ），（ｄ）に示すように、切替手段としての直結クラッチ６５がＯＦＦ（継合遮断）されることで、コンプレッサ軸回転速度＜ＭＧ軸回転速度＜車軸回転速度の関係となる。それにより、車軸回転速度が変動するおそれが生じるが、電動発電機３２を発電側に制御することで車軸回転速度を一定に保持する。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００４７】
ただし、第２モードの状態において、車両が低速走行している場合はコンプレッサ軸回転速度＞ＭＧ軸回転速度＞車軸回転速度となることも考えられる。かかる場合、第２モード→第３モードの切替時において、上記図７の（ａ）とは逆に電動発電機３２が発電側に制御されることで車軸回転速度が一定に保持される。つまり、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００４８】
また、第３モード→第２モードの切替時には（ただし第２モード切替後にコンプレッサ軸回転速度＞ＭＧ軸回転速度＞車軸回転速度となる場合）、上記図７の（ｂ）とは逆に電動発電機３２を駆動側に制御することで車軸回転速度を一定に保持する。つまり、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００４９】
（５）第２モード⇔第４モード間のモード遷移
図８には、第２モードから第４モードへの遷移を（ａ），（ｂ）に示し、その逆の第４モードから第２モードへの遷移を（ｃ），（ｄ）に示す。図８の（ａ）に示す第２モードでは、コンプレッサ軸回転速度＜ＭＧ軸回転速度＜車軸回転速度の関係となっている。この状態から図８の（ｂ）に示す第４モードに移行すると、動力分配装置（遊星ギア装置）３１の３軸が同速回転となる。それにより、車軸回転速度が変動するおそれが生じるが、電動発電機３２が駆動側に制御されることで車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００５０】
逆に第４モード→第２モードの遷移時には、図８の（ｃ），（ｄ）に示すように、動力分配装置（遊星ギア装置）３１の３軸が同速回転している状態から、コンプレッサ軸回転速度＜ＭＧ軸回転速度＜車軸回転速度となる状態へと移行する。それにより、車軸回転速度が変動するおそれが生じるが、電動発電機３２が発電側に制御されることで車軸回転速度が一定に保持される。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００５１】
ただし、第２モードの状態において、車両が低速走行している場合はコンプレッサ軸回転速度＞ＭＧ軸回転速度＞車軸回転速度となることもあり、かかる場合、第２モード→第４モードの切替時に、上記図８の（ａ）とは逆に電動発電機３２が発電側に制御されることで車軸回転速度が一定に保持される。つまり、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００５２】
また、第４モード→第２モードの切替時には（ただし第２モード切替後にコンプレッサ軸回転速度＞ＭＧ軸回転速度＞車軸回転速度となる場合）、上記図８の（ｂ）とは逆に電動発電機３２を駆動側に制御することで車軸回転速度を一定に保持する。つまり、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００５３】
（６）第３モード⇔第４モード間のモード遷移
図９には、第３モードから第４モードへの遷移を（ａ），（ｂ）に示し、その逆の第４モードから第３モードへの遷移を（ｃ），（ｄ）に示す。図９の（ａ）に示す第３モードでは、動力分配装置（遊星ギア装置）３１の３軸が同速回転となっている。この状態から図９の（ｂ）に示す第４モードに移行すると、コンプレッサ３３の駆動開始に伴い車軸回転速度が変動するおそれが生じるが、電動発電機３２が駆動側に制御されることで車軸回転速度が一定に保持される。かかる場合、電動発電機３２が駆動状態にあればその駆動トルクが増大され、同電動発電機３２が発電状態にあればその発電トルクが減じられ、同電動発電機３２がＯＦＦ（停止）状態にあれば、駆動状態とされる。
【００５４】
逆に第４モード→第３モードの遷移時には、図９の（ｃ），（ｄ）に示すように、コンプレッサ３３の駆動停止に伴い車軸回転速度が変動するおそれが生じるが、電動発電機３２が発電側に制御されることで車軸回転速度が一定に保持される。かかる場合、電動発電機３２が駆動状態にあればその駆動トルクが減じられ、同電動発電機３２が発電状態にあればその発電トルクが増大され、同電動発電機３２がＯＦＦ（停止）状態にあれば、発電状態とされる。
【００５５】
ここで、動力分配装置（遊星ギア装置）３１の３軸に入力される各入力トルクについて、サンギア６１（デフ連結軸３４）への入力トルクをＴｓ、リングギア６２（コンプレッサ連結軸３６）への入力トルクをＴｒ、キャリア６４（ＭＧ連結軸３５）への入力トルクをＴｃとすると、定常状態の場合において、これら各トルクは次の（１），（２）式の関係を有する。ただしρは遊星ギア装置のプラネタリ比（プラネタリギア比）である。
Ｔｓ＝−ρ・Ｔｒ＝−ρ／（１＋ρ）・Ｔｃ      …（１）
Ｔｒ＝１／（１＋ρ）・Ｔｃ                  …（２）
本実施の形態の場合、サンギア入力トルクＴｓは車軸トルク、リングギア入力トルクＴｒはコンプレッサトルク、キャリア入力トルクＴｃはＭＧトルクに相当する。上式によれば、例えばリングギア入力トルクＴｒ（コンプレッサトルク）を基に、それに対応するサンギア入力トルクＴｓ（車軸トルク）やキャリア入力トルクＴｃ（ＭＧトルク）を求めることができる。
【００５６】
図１０は、モード遷移時における電動発電機３２のトルク指令値算出処理を示すフローチャートであり、本処理はハイブリッドＥＣＵ５２により所定の時間周期で実行される。
【００５７】
ステップＳ１０１では、今現在の電動発電機３２のトルク（現ＭＧトルク）を算出する。例えば、ハイブリッドＥＣＵ５２から電力変換ユニット３８（インバータ）へ現に出力されている制御信号に基づいて現ＭＧトルクが算出される。次に、ステップＳ１０２では、回転速度センサ６８の検出信号を基に算出したコンプレッサ回転速度を読み込む。コンプレッサ回転速度は、回転速度センサ６８の検出信号に基づいてエアコンＥＣＵ５３にて算出されるようになっており、ハイブリッドＥＣＵ５２ではエアコンＥＣＵ５３から受信した回転速度算出値が読み込まれる。ただしこれに代えて、車輪回転速度を検出する車輪速度センサの検出信号と、電動発電機３２の回転速度を検出するＭＧ回転速度センサの検出信号とに基づいて車軸回転速度を算出し、その車軸回転速度をコンプレッサ回転速度とすることも可能である。
【００５８】
その後、ステップＳ１０３では、車両１０の駆動モードの遷移要求が入ったか否かを判定する。そして、遷移要求有りであることを条件にステップＳ１０４に進み、都度の要求に基づいて駆動モードを遷移させる。このとき、コンプレッサクラッチ６６のＯＮ／ＯＦＦ切替や直結クラッチ６５のＯＮ／ＯＦＦ切替が適宜実施される。
【００５９】
その後、ステップＳ１０５では、前記ステップＳ１０２で読み込んだコンプレッサ回転速度とコンプレッサ特性とに基づいてコンプレッサトルクを推定し、続くステップＳ１０６では、前記（２）式に示す関係を用い、コンプレッサトルクの推定値に基づいて電動発電機３２の目標トルク（目標ＭＧトルク）を算出する。ただし、前記（２）式においてリングギア入力トルクＴｒはコンプレッサトルク、キャリア入力トルクＴｃはＭＧトルクである。
【００６０】
最後にステップＳ１０７では、現ＭＧトルクと目標ＭＧトルクとの偏差に基づいて電動発電機３２のトルク指令値を算出する。そして、このトルク指令値に基づく制御信号がハイブリッドＥＣＵ５２から電力変換ユニット３８に出力され、それにより電動発電機３２の駆動又は発電の状態が制御される。このとき、モード遷移時から所定時間が経過するまでの期間内で、前記トルク指令値によって電動発電機３２の駆動トルク（又は発電トルク）の増減が行われる。
【００６１】
図１１は、モード遷移時の車両挙動を説明するためのタイムチャートである。図１１では、タイミングｔ１で直結クラッチ６５がＯＦＦ→ＯＮに切り替えられてそれに伴いモード遷移が行われる事例について図示している。
【００６２】
さて、直結クラッチ６５がＯＦＦからＯＮに切り替えられたタイミングｔ１において、仮にＭＧトルクが不変（図示では電動発電機ＯＦＦ状態のまま）であると、図に一点鎖線で示すように、車軸の回転変動が生じることに伴い車速が低下する。また、車両の前後加速度が発生し、車両の搭乗者は振動を感じる。
【００６３】
これに対し、直結クラッチ６５がＯＦＦからＯＮに切り替えられたタイミングｔ１で、電動発電機３２が駆動側に制御されることにより、車軸の回転変動による車速の低下が抑制される。また、車両の前後加速度が発生することはなく、車両の搭乗者が振動を感じることもない。電動発電機３２の駆動側へのトルク増加は、例えば図示の如くクラッチ切替から所定時間実施される。
【００６４】
以上詳述した本実施の形態によれば、以下の優れた効果が得られる。
【００６５】
車両走行時においてコンプレッサ駆動状態の変化（ＯＮ／ＯＦＦ切替）、又は直結クラッチ６５の状態の変化（ＯＮ／ＯＦＦ切替）に基づいて電動発電機３２の駆動又は発電の状態を制御するようにしたため、車軸（デフ連結軸）の回転を一定に保持することが可能となる。故に、車両走行時における車軸の回転変動を抑制し、ひいてはドライバビリティを良好に保つことができる。
【００６６】
また本実施の形態の車両システムとして、車両減速等に伴う回生時において、後輪側のデフ連結軸３４からの動力が動力分配装置３１を介して電動発電機３２に伝達されるため、回生エネルギを効率良く回収できる。エンジンに連結したトランスミッションを介して回生エネルギを回収する通常一般のシステムと比して望ましい構成であると言える。また、エンジン１４を搭載した車両フロント側とは異なり、車両リア側に電動発電機３２とコンプレッサ３３を設けたため、エンジン１４の周辺構成が簡素化できる。それ故、動力源や補機装置の搭載性が向上する。
【００６７】
デフ連結軸３４、ＭＧ連結軸３５及びコンプレッサ連結軸３６を遊星ギア装置よりなる動力分配装置３１を用いて機械的に連結したため、これら各要素間の動力分配が簡易に実現できる。故に、システム構成の簡潔化を図ることができる。
【００６８】
なお、本発明は上記実施の形態の記載内容に限定されず、例えば次のように実施しても良い。
【００６９】
上記実施の形態では、直結クラッチ６５のＯＮ／ＯＦＦ切替などが行われるモード遷移時において電動発電機３２の駆動トルク（又は発電トルク）の増減をモード遷移から所定時間だけ実施する構成としたが（図１１参照）、これを変更する。例えば、モード遷移に伴い電動発電機３２の駆動トルク（又は発電トルク）の増減が行われた後、その増減した駆動トルク（又は発電トルク）を、徐々に（段階的に）元のトルク値に戻すようにしても良い。
【００７０】
上記実施の形態では、図２に示したとおり動力分配装置（遊星ギア装置）３１のサンギア６１にデフ連結軸３４（車輪連結軸）を、リングギア６２にコンプレッサ連結軸３６を、キャリア６４にＭＧ連結軸３５をそれぞれ接続したが、その接続の組み合わせを変更しても良い。つまり、サンギア６１、リングギア６２、キャリア６４に対して、任意の組み合わせで車輪連結軸、コンプレッサ連結軸、ＭＧ連結軸をそれぞれ接続することが可能である。
【００７１】
上記実施の形態の車両１０では、前輪を主駆動輪、後輪を副駆動輪としたが、その前後を逆にしても良い。例えば主動力源たるエンジンを後輪側に設け、副動力源たる電動発電機を前輪側に設ける構成としても良い。
【００７２】
上記実施の形態では、車両が主にエンジン動力により走行する構成としたため、エンジンを主動力源、電動発電機を副動力源としたが、これに限られるものではない。車両の主動力源を電動発電機、副動力源をエンジンとすることも可能である。
【００７３】
本発明が適用可能な車両システムには以下のものが含まれる。
（イ）エンジンを動力源として備える第１の動力発生手段と、電動発電機を動力源として備える第２の動力発生手段とを、車両の前後車輪の同一側に設けた車両システム。
（ロ）動力源としてのエンジンを具備せず、電動発電機を動力源として備える動力発生手段を車両の前後車輪のいずれか一方、又は両方に設けた車両システム（なおこれは、ハイブリッド車両以外に、電気自動車への適用が可能であることを意味する）。
【００７４】
上記いずれにおいても、車輪連結軸に、電動発電機と空調用のコンプレッサとを動力分配装置（遊星ギア装置）を介して機械的に連結する構成とする。そして更に、上記のとおり車両走行時においてコンプレッサ駆動状態の変化（ＯＮ／ＯＦＦ切替）、又は直結クラッチ６５の状態の変化（ＯＮ／ＯＦＦ切替）に基づいて電動発電機３２の駆動又は発電の状態を制御する。これにより、車軸（デフ連結軸）の回転を一定に保持することが可能となり、車両走行時における車軸の回転変動を抑制し、ひいてはドライバビリティを良好に保つことができる。
【００７５】
補機装置としては、前述した空調用のコンプレッサに限られず、例えばパワーステアリング装置の油圧ポンプを補機装置として使用することも可能である。この場合、動力分配装置の補機装置軸（例えば遊星ギア装置のリングギア軸）にパワステ用油圧ポンプが連結される。
【図面の簡単な説明】
【００７６】
【図１】発明の実施の形態における車両システムの概略を示す構成図である。
【図２】副動力ブロックの構成を示す図である。
【図３】車両の駆動モードの一覧を示す図である。
【図４】第１モード⇔第２モード間のモード遷移を説明するための共線図である。
【図５】第１モード⇔第３モード間のモード遷移を説明するための共線図である。
【図６】第１モード⇔第４モード間のモード遷移を説明するための共線図である。
【図７】第２モード⇔第３モード間のモード遷移を説明するための共線図である。
【図８】第２モード⇔第４モード間のモード遷移を説明するための共線図である。
【図９】第３モード⇔第４モード間のモード遷移を説明するための共線図である。
【図１０】モード遷移時におけるＭＧトルク指令値の算出処理を示すフローチャートである。
【図１１】モード遷移時の車両挙動を説明するためのタイムチャートである。
【符号の説明】
【００７７】
１０…車両、１１，１２…前輪、１４…動力源としてのエンジン、１７…発電機としてのオルタネータ、２１，２２…後輪、２５…ディファレンシャルギア、３１…動力分配装置、３２…動力源としての電動発電機、３３…補機装置としてのコンプレッサ、３４…デフ連結軸、３５…ＭＧ連結軸、３６…コンプレッサ連結軸、３８…電力変換手段としての電力変換ユニット、４３…蓄電手段としての高電圧バッテリ、５１…エンジンＥＣＵ、５２…ハイブリッドＥＣＵ、６１…サンギア、６２…リングギア、６４…キャリア、６５…直結クラッチ、Ｄ１…第１の動力発生手段としての主動力ブロック、Ｄ２…第２の動力発生手段としての副動力ブロック。
【図１】
2006327315.tif 000003
【図２】
2006327315.tif 000004
【図３】
2006327315.tif 000005
【図４】
2006327315.tif 000006
【図５】
2006327315.tif 000007
【図６】
2006327315.tif 000008
【図７】
2006327315.tif 000009
【図８】
2006327315.tif 000010
【図９】
2006327315.tif 000011
【図１０】
2006327315.tif 000012
【図１１】
2006327315.tif 000013